(57)【要約】【課題】操作部の取付位置を窓枠の高さ方向の任意の位置とすることができるオーニング窓を提供する。【解決手段】窓開口部の一方の竪枠３Ａに設けた操作部及び作動機構によって、左右の竪枠に沿って上下動可能に設けた連結桿６Ａを上下作動させて障子２を開閉するオーニング窓において、前記作動機構は、操作ハンドル１５の操作によって上下動するオペレータアーム１６と、連結桿６Ａに回動可能に直接連結されており、オペレータアーム１６の上下動に連動して上下動することで連結桿６Ａを上下作動させる連結板１７と、からなり、連結桿６Ａに対する連結板１７の連結位置の高さを選択することで、操作ハンドル１５の取付位置が竪枠３Ａの高さ方向に選択可能となっている。【選択図】図４
2010174505.tif 000002
【特許請求の範囲】
【請求項１】
窓開口部の一方の竪枠に設けた操作部及び作動機構によって、左右の竪枠に沿って上下動可能に設けた連結桿を上下作動させて障子を開閉するオーニング窓において、
前記作動機構は、操作部の操作によって上下動するオペレータアームと、前記連結桿に回動可能に直接連結されており、前記オペレータアームの上下動に連動して上下動することで前記連結桿を上下作動させる連結板と、からなり、
前記連結桿に対する前記連結板の連結位置の高さを選択することで、前記操作部の取付位置が前記竪枠の高さ方向に選択可能となっている、
オーニング窓。
【請求項２】
窓開口部の高さ方向に複数段に設けた複数の障子を備え、
前記連結桿は、各障子に対応して高さ方向に連続する複数の単位部位からなり、
各障子の側面は、上方部位に設けた第１アームと、第１アームと竪枠との間を連結する第２アームと、下方部位に設けたロック受けと、を備え、
前記連結桿の各単位部位の上端側には、各障子の側面の上方部位に設けた第１アームに対応してガイドプレートが設けてあり、
各障子は、第１アームが、前記連結桿の下動に連動して前記ガイドプレートによって下方に作動されることで、第２アームが回動して障子の下端側がすべり出すように傾斜姿勢となって開放状態となり、
閉鎖状態において、最下位の障子を除く各障子は、各障子の側面の下方部位に設けたロック受けが、最下位の障子を除く各障子に対応する単位部位の下端側に設けたロック手段に係合されることで垂直姿勢が保持され、
前記作動機構の前記連結板が、最下位の障子を除く各障子に対応する各単位部位のいずれかの単位部位の高さ位置内に連結される場合には、前記連結板は、上下動する前記作動機構が最上位にある時に、当該作動機構の最上端が前記ガイドプレートよりも下方に位置し、上下動する前記作動機構が最下位にある時に、当該作動機構の最下端が前記ロック手段よりも上方に位置するような高さ範囲から所望の高さを選択して前記連結桿に取り付けられる、
請求項１に記載のオーニング窓。
【請求項３】
前記連結桿の下端には、コンロッドとスイングアームとからなる屈伸機構が設けてあり、
閉鎖状態において、最下位の障子は、当該障子の側面の下方部位に設けたロック受けが、スイングアームに設けたロック手段に係合されることで垂直姿勢が保持され、
前記作動機構の前記連結板が、最下位の障子に対応する単位部位の高さ位置内に連結される場合には、前記連結板は、上下動する前記作動機構が最上位にある時に、当該作動機構の最上端が前記ガイドプレートよりも下方に位置するような高さ範囲から所望の高さを選択して前記連結桿に取り付けられる、
請求項２に記載のオーニング窓。
【請求項４】
前記竪枠は、第１見込片と、第１見込片よりも開口部側に位置して当該第１見込片に離間対向する第２見込片と、前記第１見込片と第２見込片の室内側部位を連結する室内側見付片と、を備えており、
前記操作部は、室内側見付片の外面に設けてあり、
前記連結桿は、前記第１見込片の内面に沿って配置されており、
前記第２アームは、前記第２見込片の内面に連結されており、
前記オペレータアーム及び前記連結板は、前記第２アームと前記連結桿との間に形成された空間内で上下動可能である、
請求項２、３いずれかに記載のオーニング窓。
【発明の詳細な説明】
【技術分野】
【０００１】
本発明は、オーニング窓に関するものである。
【背景技術】
【０００２】
窓開口部の高さ方向に複数段に設けた複数の障子が、窓開口部の少なくとも一方の竪枠に沿って上下動可能に設けた連結桿の上下動に連動して開閉するオーニング窓が知られている（特許文献１）。また、図１０、図１１は従来のオーニング窓に関する図面であり、図１０、図１１において、説明の便宜上、本発明の構成要素と同一の要素については同じ参照番号が付してある。
【０００３】
従来のオーニング窓は、図１０に示すように、一方の竪枠３Ａの室内側面部の下方部位に操作部１５´が設けてあり、操作部１５´と連結桿とを伝動連結することで、操作部１５´によって連結桿を上下動させることで障子を開閉する。
【０００４】
図１１に、操作部１５´と連結桿６Ａの伝動連結の構成を詳細に示す。左右の連結桿は、左右の連結桿６に上端部が回動自在に連結されたコンロッド１２と、コンロッド１２の下端部に上端部が回動自在に連結され、下端部が回動支点となるスイングアーム１３と、からなる屈伸機構によって上下動可能に支持されている。一方の竪枠３Ａの下方部位には、室内側に位置して、屈伸機構を上下に屈伸させる操作ハンドル１５が設けてある。操作ハンドル１５はオペレータアーム１６の基端側に連結されており、操作ハンドル１５の操作によりオペレータアーム１６の先端側を上下動させることで、連結板１７´を介してコンロッド１２を回動させる。
【０００５】
しかしながら、上記のように連結板１７´がコンロッド１２に直接連結するものでは、コンロッド１２及びスイングアーム１３が窓枠１の下枠付近に固定されているため、操作部１５´の位置が窓枠１の下方部位に限定されてしまうという短所がある。オーニング窓の設置場所等によっては、操作部１５´が窓枠１の下方部位にあると操作性が悪い場合があり、操作部１５´を操作しやすい任意の高さ位置に設けたいという要望がある。
【特許文献１】特開２００７−６３８２４
【発明の開示】
【発明が解決しようとする課題】
【０００６】
本発明は、操作部の取付位置を窓枠の高さ方向の任意の位置とすることができるオーニング窓を提供することを目的とする。
【課題を解決するための手段】
【０００７】
本発明が採用した技術手段は、
窓開口部の一方の竪枠に設けた操作部及び作動機構によって、左右の竪枠に沿って上下動可能に設けた連結桿を上下作動させて障子を開閉するオーニング窓において、
前記作動機構は、操作部の操作によって上下動するオペレータアームと、前記連結桿に回動可能に直接連結されており、前記オペレータアームの上下動に連動して上下動することで前記連結桿を上下作動させる連結板と、からなり、
前記連結桿に対する前記連結板の連結位置の高さを選択することで、前記操作部の取付位置が前記竪枠の高さ方向に選択可能となっている、
オーニング窓、である。
【０００８】
１つの態様では、
窓開口部の高さ方向に複数段に設けた複数の障子を備え、
前記連結桿は、各障子に対応するように高さ方向に連続する複数の単位部位からなり、
各障子の側面は、上方部位に設けた第１アームと、第１アームと竪枠との間を連結する第２アームと、下方部位に設けたロック受けと、を備え、
前記連結桿の各単位部位の上端側には、各障子の側面の上方部位に設けた第１アームに対応してガイドプレートが設けてあり、
各障子は、第１アームが、前記連結桿の下動に連動して前記ガイドプレートによって下方に作動されることで、第２アームが回動して障子の下端側がすべり出すように傾斜姿勢となって開放状態となり、
閉鎖状態において、最下位の障子を除く各障子は、各障子の側面の下方部位に設けたロック受けが、最下位の障子を除く各障子に対応する単位部位の下端側に設けたロック手段（後述する実施態様では、ロック部材とカムプレートからなる）に係合されることで垂直姿勢が保持され、
前記作動機構の前記連結板が、最下位の障子を除く各障子に対応する各単位部位のいずれかの単位部位の高さ位置内に連結される場合には、前記連結板は、上下動する前記作動機構が最上位にある時に、当該作動機構の最上端が前記ガイドプレートよりも下方に位置し、上下動する前記作動機構が最下位にある時に、当該作動機構の最下端が前記ロック手段よりも上方に位置するような高さ範囲から所望の高さを選択して前記連結桿に取り付けられる。
【０００９】
１つの態様では、
前記連結桿の下端には、コンロッドとスイングアームとからなる屈伸機構が設けてあり、
閉鎖状態において、最下位の障子は、当該障子の側面の下方部位に設けたロック受けが、スイングアームに設けたロック手段に係合されることで垂直姿勢が保持され、
前記作動機構の前記連結板が、最下位の障子に対応する単位部位の高さ位置内に連結される場合には、前記連結板は、上下動する前記作動機構が最上位にある時に、当該作動機構の最上端が前記ガイドプレートよりも下方に位置するような高さ範囲から所望の高さを選択して前記連結桿に取り付けられる。
【００１０】
１つの態様では、
前記竪枠は、第１見込片と、第１見込片よりも開口部側に位置して当該第１見込片に離間対向する第２見込片と、前記第１見込片と第２見込片の室内側部位を連結する室内側見付片と、を備えており、
前記操作部は、室内側見付片の外面に設けてあり、
前記連結桿は、前記第１見込片の内面に沿って配置されており、
前記第２アームは、前記第２見込片の内面に連結されており、
前記オペレータアーム及び前記連結板は、前記第２アームと前記連結桿との間に形成された空間内で上下動可能である。
【発明の効果】
【００１１】
本発明では、連結桿を上下作動させる作動機構の連結板を直接連結桿に連結するようにしたので、前記連結桿に対する前記連結板の連結位置の高さを選択することが可能となり、前記操作部を、前記竪枠の高さ方向に選択した位置に取り付けることができる。
【発明を実施するための最良の形態】
【００１２】
本発明の実施形態を図面に基づいて詳細に説明する。図１に示すように、オーニング窓は、窓枠１と、窓枠１によって形成された窓開口部を開閉する複数枚（図１では４枚を例示）の障子２とから構成されている。窓枠１は、左右の竪枠３Ａ、３Ｂ、上枠４、下枠５から構成されている。障子２は、上框２００、左右の竪框２０１、２０２、下框２０３、ガラス窓部２０４から構成されている。一方の竪枠３Ａの室内側部位には、窓枠１の高さ方向に所望の取付部位を選択して一つの操作部１５´が設けてあり、操作部１５´によって複数枚の障子２を開閉操作する。
【００１３】
図２に示すように、竪枠３Ａは、室外側に面する室外側見付片３０と、室外側見付片３０に対して直交状に延出する第１見込片３１と、第１見込片３１に対して開口部側に位置して、第１見込片３１に離間対向して延出する第２見込片３２と、両見込片３１、３２の室内側部位同士を連結する室内側見付片３３と、を有している。室内側見付片３３は、第１見込片３１に対して、室外側見付片３０と反対側（開口部側）に延出しており、両見込片３１、３２と室内側見付片３３とから形成された空間Ｓを利用して後述する連結機構（障子２と窓枠１を連結する機構）、作動機構（連結機構を作動させる機構）、ロック機構（開口部全閉状態を維持する機構）が設けられる。以下において、両見込片３１、３２、室内側見付片３３の空間Ｓに面する側の面を内面と言う。図２では、連結機構の一つの要素である連結桿６Ａ、６Ｂのみ示し、他の要素は省略されている。竪枠３Ｂも竪枠３Ａと同様の構成を備えている。
【００１４】
各障子２は、左右の竪枠３Ａ、３Ｂと、各障子２の左右の側面（左右の竪框２０１、２０２）との間に設けた連結機構を介して窓枠１に開閉可能に連結されている。各障子２は、上端部を回動支点として室内外方向に回動可能であると共に、前記回動支点は、窓枠の左右の竪枠３Ａ、３Ｂに沿って上下方向に移動自在に設けられた左右の連結桿６Ａ、６Ｂの上下動に連動して上下方向に移動自在となっており、連結桿６を下動させることで各障子２は下端側が室外側へすべり出すように回動して傾斜姿勢となって開放状態となり、連結桿６Ａ、６Ｂを上動させることで各障子２は垂直姿勢となって閉鎖状態となる。
【００１５】
連結機構について、主として竪枠３Ａ側の連結機構に基づいて詳細に説明する。連結機構は、連結桿６Ａと、第１アーム７と、第２アーム８と、ベース９と、ブラケット１０と、ガイドプレート１１と、を有する。連結桿６Ａは、竪枠３Ａの第１見込片３１の内面の室内側部位に沿って設けてある。ベース９は、各障子２の上端部位に対応するように、竪枠３Ａの第１見込片３１（図４、図８に示すように、連結桿６Ａよりも室外側部位）の内面に固定されている。ベース９には上下に延びる長穴９０が形成されており、長穴９０の上端部は後方（室内側）に傾斜している。
【００１６】
第１アーム７は、障子２の竪框２０１の上方部位に連結されており、第１アーム７の上端部は係合ピン７０を介して、ベース９に回動自在かつ上下スライド自在に連結されている。第１アーム７の上部に突設した係合ピン７０は、ベース９の長穴９０内にスライド自在に嵌められており、長穴９０にガイドされる。係合ピン７０がベース９の長穴９０の上端部に位置している時に障子２が直立姿勢となって窓開口部が閉じられ、係合ピン７０が長穴９０の下端部に位置している時に障子２が傾斜姿勢となって窓開口部が開放される（図４、図６参照）。
【００１７】
第１アーム７の下方側には、第２アーム８の上端部が回動自在に連結されている。図８に示すように、第２アーム８の下端部は竪枠３Ａの第２見込片３２の内面に固定されたブラケット１０に回動自在に連結されている。図８から明らかなように、空間Ｓにおいて、ブラケット１０、第２アーム８の第１見込片３１側には、第２アーム８と干渉すること無しにオペレータアーム１６、連結板１７を上下動可能に受け入れる空間が形成されている。
【００１８】
ガイドプレート１１は、連結桿６Ａにおける各障子２の上方部位に対応する部分に、連結桿６から前方（室外側）に突出するように設けてあり、連結桿６Ａの上下動に伴って、ガイドプレート１１が上下動して、係合ピン７０を上下に移動させる。ガイドプレート１１には、長穴１１０が形成されており、長穴１１０は、垂直部と、垂直部の上端側から前方へ傾斜状に延びる傾斜部とから構成される。ガイドプレート１１は、ベース９と第１アーム７の上端部との間に介装されており（図８参照）、長穴１１０内には、係合ピン７０がスライド自在に嵌まっており、係合ピン７０は、長穴１１０にガイドされる。障子２の閉位置でロック状態にある場合では、係合ピン７０は長穴１１０の下端部に位置している（図４参照）。
【００１９】
閉状態から連結桿６Ａおよびガイドプレート１１が下動すると、係合ピン７０が長穴１１０内を相対的に上方に移動して行き、長穴１１０の上側の縁部に押されて係合ピン７０がベース９の長穴９０の傾斜部を下方に移動する。係合ピン７０が、長穴９０の傾斜部を過ぎると、係合ピン７０はガイドプレート１１の長穴１１０の上端に位置した状態で、ピン７０はベース９の長穴９０の垂直部内を下方に移動し、第１アーム７が係合ピン７０を中心にして前方に回動すると共に第２アーム８が下端部を中心として前方に回動し、障子２は下端側が室外側にすべり出すように傾動して傾斜姿勢となって開口部を開放する（図６参照）。
【００２０】
左右の連結桿６Ａ、６Ｂの下端部位には、上端部が回動自在に連結されたコンロッド１２と、コンロッド１２の下端部に上端部が回動自在に連結され、下端部が回動支点となるスイングアーム１３と、からなる屈伸機構が設けてある。連結桿６Ａ、６Ｂの上下動に伴って屈伸機構が上下に屈伸しながら連結桿６を上下動可能に支持している。左右の屈伸機構は、左右のスイングアーム１３の下端部の回動支点同士を連結する回動軸１４によって連動連結されている。
【００２１】
竪枠３Ａの室内側見付片３３の外面の所定の高さ位置には、連結桿６Ａを上下動させて障子２を開閉させるための操作部１５´（操作ハンドル１５＋後述するケーシング１６Ａ）が設けてある。連結桿６Ａには、操作部１５´に対応する高さ位置に、連結桿６Ａを上下動させる作動機構が連結されている。図示の態様では、室内側に露出する操作ハンドル１５とケーシング１６Ａを合わせて操作部１５´としているが、操作部は少なくとも操作ハンドルのような操作手段を備えていればよく、ケーシング１６Ａは操作部の任意要素である。
【００２２】
作動機構は、操作ハンドル１５の回動操作によって先端側が上下動するオペレータアーム１６と、オペレータアーム１６の上下動に連動して上下動する連結板１７とからなり、オペレータアーム１６の基端側は操作ハンドル１５に伝動連結されており、オペレータアーム１６の先端側は連結板１７の基端側に回動可能に連結されており、連結板１７の先端は連結桿６Ａに回動可能に連結されている。操作ハンドル１５の操作でオペレータアーム１６の先端側を上下に回動させることで、連結板１７を介して連結桿６Ａを上下動させる。竪枠３Ａの室内側見付片３３の外面には、操作部１５´に位置して、室内側に突出するオペレータアーム１６を内装するケーシング１６Ａが設けてある。ケーシング１６Ａには、障子２の全開・半開を選択するつまみ１６Ｂが設けてある。
【００２３】
オーニング窓の開閉動作について説明する。図３、図４はオーニング窓の全閉状態を示し、障子２が閉鎖姿勢にあり、この状態から、ハンドル１５を第１の方向に回転させると、オペレータアーム１６が下方に回動して連結板１７を下方に移動させ、連結板１７が下方に移動することで、連結板１７に連結されている一方の連結桿６Ａがコンロッド１２とスイングアーム１３を屈曲させながら下方に移動する。スイングアーム１３が下方に回動することで、回動軸１４の回転が他方の連結桿６Ｂのスイングアーム及びコンロッドに伝達され、他方の連結桿６Ｂも同時に下動する。
【００２４】
連結桿６Ａ、６Ｂが下方に移動すると、ガイドプレート１１が下動し、各障子２は、第１アーム７がガイドプレート１１によってベース９の長穴９０に案内されながら下方に作動されることで、第１アーム７が係合ピン７０を中心にして前方（室外側）に回動すると共に第２アーム８が下端部を中心として前方に回動し、障子２は、垂直姿勢の閉位置から上端側が降下しながら下端側が室外側にすべり出すように回動して、図６に示すような傾斜姿勢の全開位置となる。
【００２５】
開放状態にある障子２において、ハンドル１５を第２の方向に回転させると、上記開放操作とは逆の工程を辿って、連結桿６Ａ、６Ｂが上方に移動することに連動して障子２が傾斜姿勢から垂直姿勢へと回動する。
【００２６】
オーニング窓には、閉状態において障子２の垂直姿勢を保持するためのロック機構が設けてある。ロック機構は、障子２の横幅方向の両側に設けても、いずれか一方に設けてもよいが、ここでは、竪枠３Ａ側のロック機構について説明する。各障子２の竪框２０１の下方部位には、ロック受け１８Ａが一体形成された取付け板１８が固定されている。ロック機構は、ロック受け１８Ａと、以下に述べるロック手段（ロック部材１９とカムプレート２０からなる）と、を備えている。
【００２７】
連結桿６Ａには、窓装置の下端に位置する障子２を除いた各障子２のロック受け１８Ａに係合するロック部材１９が前後（室内外方向）に回動可能に設けてある。ロック部材１９は、略Ｕ形状を有し、前側垂直部と後側垂直部と両垂直部の下端同士を連結する連結部とから略Ｕ形状に形成されており、後側垂直部の下端部において連結桿６Ａに回動自在に枢着されている。
【００２８】
窓枠１の竪枠３Ａの第１見込片３１の内面にはロックガイドとして機能するカムプレート２０が固定されており（図９参照）、ロック部材１９には、その後側垂直部の上端部に第２見込片３２へ向かって突出するように固定されたカムフォロワ１９Ａが突設されている。カムプレート２０には、その前側から後斜め上方に延び、カムフォロワ１９Ａをガイドするガイド溝２０Ａが切り欠き形成されている。
【００２９】
連結桿６Ａの上動により、係合ピン７０がガイドプレート１１の長穴１１０内を移動する時に、前方（室外側）に傾動したロック部材１９がカムプレート２０にガイドされながら後方（室内側）に回動して、ロック受け１８Ａに係合してロック状態となる。連結桿６Ａの下動によりロック部材１９を前方（室外側）に回動させてロック受け１８Ａに対する係合を解除させることで、ロック状態を解除する。
【００３０】
最下位の障子２の竪框２０１の下方部位に設けたロック受け１８Ａに係合するロック手段は、上記ロック部材１９及びカムプレート２０とは異なる。スイングアーム１３の前端縁には、ロック受け１８Ａに係合する係合部（ロック部材）１３Ａが設けてある。最下位の障子２が閉位置となり、スイングアーム１３が立ち上がり姿勢となると、スイングアーム１３の係合部１３Ａが障子２のロック受け１８Ａに係合することにより、最下位の障子２の閉状態が維持される。
【００３１】
本発明では、連結桿６Ａを上下動させる作動機構の連結板７は連結桿６Ａに直接連結されているので、作動機構の連結板７を設ける高さ位置は、窓装置の下方部位に限定されるものではなく、したがって、作動機構の高さ位置を選択することで、作動機構に連動連結されている操作部１５´の高さ位置を選択することができる。すなわち、操作部１５´（操作ハンドル１５＋ケーシング１６Ａ）が設けられる高さ位置は、従来のように竪枠３Ａの下端部位には限定されない。図１、図３に示す複数の操作部１５´は、各障子２に対応して操作部１５´が装着されていることを意味するものではなく、各障子２に対応する位置を選択して操作部１５´を装着し得ることを示すものであり、操作部１５´は、窓枠１の高さ方向の所望の位置を選択して一つ設けられる。
【００３２】
操作部１５´（操作ハンドル１５＋ケーシング１６Ａ）、作動機構（オペレータアーム１６＋連結板１７）は、従来のように、連結桿６Ａの下方部位に設けることもできるが、操作部１５´（操作ハンドル１５＋ケーシング１６Ａ）、作動機構（オペレータアーム１６＋連結板１７）は、各障子２に対応する高さ位置に対応して、連結桿６Ａの高さ方向の中途部位に設けることができる。
【００３３】
連結桿６Ａにおいて、連結板１７が連結される位置について説明する。連結板１７およびオペレータアーム１６は、両見込片３１、３２と室内側見付片３３とから形成された空間Ｓ内を上下動するものであるため、連結板１７は、連結桿６Ａが上下に作動される時に、空間Ｓ内に位置する他の要素が、連結板１７、オペレータアーム１６の上下動を妨げないような位置を選択して連結桿６Ａに取り付けられる。
【００３４】
連結板１７を取り付ける位置を考える場合に、高さ方向に複数段に設けた複数の障子２の各障子２に対応させて、連結桿６Ａを高さ方向に分割して考えることができる。すなわち、連結桿６Ａは、各障子２に対応するような高さＨ１を備え（図４参照）、かつ高さ方向に連続する複数の単位部位からなると考えることができる。連結桿６Ａの各障子２に対応する単位部位には、単位部位の上端に位置して、ガイドプレート１１が設けてある。各単位部位において、連結板１７が取り付けることができる最上位置は、ガイドプレート１１の直下位置である。より具体的には、図示の態様では、上下動する作動機構（オペレータアーム１６と連結板１７）が最上位にある時に、最上端（連結板１７の上端の連結部）がガイドプレート１１よりも下方に位置するように、連結板は連結桿６Ａに取り付けられる。
【００３５】
ベース９は、第１見込片３１の内面に設けてあり、空間Ｓ内には、オペレータアーム１６、連結板１７が上下動できる空間が形成されている。障子２を開放する際に、オペレータアーム１６、連結板１７が室外側へ突出するが、第１アーム７は障子２の竪框２０１に沿って設けてあり、障子２と共に室外側に突出して、オペレータアーム１６、連結板１７から逃げるように傾動するので、第１アーム７はオペレータアーム１６、連結板１７の上下動を妨げない。
【００３６】
障子２が垂直姿勢にある場合には、第２アーム８は、若干傾斜しているものの、連結桿６Ａの高さ方向に亘って上下に延出する。ここで、図８に示すように、第２アーム８、ブラケット１０は、第２見込片３２の内面に設けてあり、空間Ｓ内には、オペレータアーム１６、連結板１７が上下動できる空間が形成されている。
【００３７】
窓装置の下端に位置する障子２を除いた各障子２に対応する各単位部位において、各単位部位の下方部位にはロック手段が設けられており、連結板１７は、オペレータアーム１６、連結板１７が上下動した時にロック手段と干渉しないような高さ位置を選択して取り付ける必要がある。より具体的には、上下動する作動機構（オペレータアーム１６と連結板１７）が最下位にある時に、最下端（連結板１７の下端部位、すなわち、図示の態様では、連結板１７とオペレータアーム１６の連結部位）がロック手段を構成するカムプレート２０よりも上方に位置するように、連結板は連結桿６Ａに取り付けられる。
【００３８】
したがって、窓装置の下端に位置する障子２を除いた各障子２に対応する各単位部位からいずれかの単位部位を選択して連結板１７を取り付ける場合には、連結板１７は、上下動する前記作動機構が最上位にある時に、当該作動機構の最上端がガイドプレート１１よりも下方に位置し、上下動する前記作動機構が最下位にある時に、当該作動機構の最下端がカムプレート２０よりも上方に位置するような高さ範囲から所望の高さを選択して連結桿６Ａに取り付けられる。例えば、そのような高さ範囲を図４に高さ範囲Ｈ２で示しており、高さ範囲Ｈ２から所望の高さを選択して連結板１７を連結桿６Ａに取り付けることになる。また、図４を含む本願の図面は、必ずしも実寸の縮尺寸法で描かれているものではなく、例えば、各障子２の高さ寸法は高さ方向に縮小して描かれている点に留意されたい。
【００３９】
上述のように、最下位の障子２の竪框２０１の下方部位に設けたロック受け１８Ａに係合するロック手段は、スイングアーム１３の前端縁に設けた係合部１３Ａとなっている。上下動する作動機構（オペレータアーム１６と連結板１７）が最下位にある時に、スイングアーム１３は室外側に向かって下方に回動するので、スイングアーム１３は、最下端（連結板１７の下端部位、すなわち、連結板１７とオペレータアーム１６の連結部位）よりも下方に位置することになり、作動機構の上下動を妨げない。また、連結板１７とコンロッド１２とは開口幅方向に異なる位置で上下動するようになっているため、互いの上下動が邪魔し合うことがない。
【００４０】
したがって、窓装置の下端に位置する障子２に対応する単位部位に連結板１７を取り付ける場合には、連結板１７は、上下動する前記作動機構が最上位にある時に、当該作動機構の最上端がガイドプレート１１よりも下方に位置するような高さ範囲から所望の高さを選択して連結桿６Ａに取り付けられる。
【産業上の利用可能性】
【００４１】
本発明は、オーニング窓に利用することができる。
【図面の簡単な説明】
【００４２】
【図１】本発明に係るオーニング窓を室内側から見た概略図である。
【図２】本発明に係るオーニング窓の横断面図である。
【図３】閉状態の本発明に係るオーニング窓の縦断面図である。
【図４】図３の部分拡大図である。
【図５】開口部全開状態の本発明に係るオーニング窓の下方部位を示す部分拡大縦断面図である。
【図６】開口部全開状態の本発明に係るオーニング窓の上方部位を示す部分拡大縦断面図である。
【図７】本発明に係るオーニング窓の部分横断面図であり、作動機構（操作ハンドル、オペレータアーム、連結板）が示してある。
【図８】本発明に係るオーニング窓の部分横断面図であり、連結機構（第１アーム、第２アーム、ブラケット）が示してある。
【図９】本発明に係るオーニング窓の部分横断面図であり、ロック機構（ロック受けを備えた取付け板、ロック部材、カムプレート）が示してある。
【図１０】従来のオーニング窓を室内側から見た概略図である。
【図１１】開口部全開状態の従来のオーニング窓の下方部位を示す部分拡大縦断面図である。
【符号の説明】
【００４３】
２    障子
３Ａ  竪枠
７    第１アーム
８    第２アーム
９    ベース
９０  長穴
１０  ブラケット
１１  ガイドプレート
１１０  長穴
１２  コンロッド
１３  スイングアーム
１５  操作ハンドル
１５´  操作部
１６  オペレータアーム
１７  連結板
１８Ａ  ロック受け
１９  ロック部材
２０  カムプレート
【図１】
2010174505.tif 000003
【図２】
2010174505.tif 000004
【図３】
2010174505.tif 000005
【図４】
2010174505.tif 000006
【図５】
2010174505.tif 000007
【図６】
2010174505.tif 000008
【図７】
2010174505.tif 000009
【図８】
2010174505.tif 000010
【図９】
2010174505.tif 000011
【図１０】
2010174505.tif 000012
【図１１】
2010174505.tif 000013